(57)【要約】      （修正有）【課題】高いセキュリティを保って認証を行なうことができる情報処理システムを提供する。【解決手段】第１ユニット１００１内のロック部３５２は、ユニット内の情報へのアクセス制限を行い、指示作成部３５３は、鍵データの作成指示を第２ユニット１００２に送信し、書込部３５４は、第２ユニット１００２からの鍵データを記憶装置に格納し、要求作成部３５５は、アクセス制限の解除要求を受け付けると、記憶部３３０に格納された鍵データ３３３を第２ユニット１００２に送信し、ロック解除部３５６は、認証が成功したとの認証結果を受け取ると、アクセス制限を解除する。第２ユニット１００２内の鍵作成部４５２は、暗号を施した鍵データを作成し、第１ユニット１００１に送信し、認証部４５３は、第１ユニット１００１からの鍵データ３３３を復号化して認証し、認証結果を第１ユニット１００１に送る。【選択図】図１９
2010108098.tif 000002
【特許請求の範囲】
【請求項１】
情報処理ユニットと認証ユニットとを備える情報処理システムであって、
前記情報処理ユニットは、
前記認証ユニットとの間の情報の授受を行なう第１のインターフェースと、
外部からの指示を受け付ける入力手段と、
記憶手段と、
前記情報処理ユニット内の情報へのアクセス制限を設定するロック手段と、
前記認証ユニットに対する鍵データの作成命令を作成し、前記作成命令を前記認証ユニットに送信する指示作成手段と、
前記第１のインターフェースが受け付けた前記鍵データを前記記憶手段に格納する書込手段と、
前記入力手段が受け付けた前記アクセス制限の解除要求に応じて、前記記憶手段に格納された前記鍵データを前記認証ユニットに送信する鍵送信手段と、
前記第１のインターフェースが受け付けた認証の成功を表わすデータに基づいて、前記アクセス制限を解除するロック解除手段とを含み、
前記認証ユニットは、
前記情報処理ユニットとの間の情報の授受を行なう第２のインターフェースと、
前記第２のインターフェースが受け付けた前記作成命令に応じて、認証用データを暗号化したデータを前記鍵データとして作成し、前記鍵データを前記情報処理ユニットに送信する鍵作成手段と、
前記第２のインターフェースが受け付けた前記鍵データを復号し、復号された前記鍵データを認証する認証手段と、
前記認証手段による認証結果を前記情報処理ユニットに送信する結果送信手段とを含む、情報処理システム。
【請求項２】
前記認証ユニットは、外部からの入力を受け付ける入力手段をさらに含み、
前記鍵作成手段は、前記入力に基づいて前記認証用データを作成する請求項１に記載の情報処理システム。
【請求項３】
前記入力手段は、タブレットを含み、
前記鍵作成手段は、前記作成命令に応じて前記タブレットに入力されたパターンに基づいて前記認証用データを作成し、
前記認証手段は、前記認証要求に応じて前記タブレットに入力されたパターンに基づいて前記復号された鍵データを認証する、請求項２に記載の情報処理システム。
【請求項４】
前記タブレットは、光センサ内蔵液晶パネルである、請求項３に記載の情報処理システム。
【請求項５】
前記認証ユニットは、前記認証ユニットを特定する識別データを格納する記憶手段をさらに含み、
前記認証用データは、前記識別データを含み、
前記認証手段は、前記記憶手段に格納された前記識別データに基づいて前記復号された鍵データを認証する、請求項１から４のいずれか１項に記載の情報処理システム。
【請求項６】
情報処理装置であって、
認証装置との間の情報の授受を行なうインターフェースと、
外部からの指示を受け付ける入力手段と、
記憶手段と、
前記情報処理装置内の情報へのアクセス制限を設定するロック手段と、
前記認証装置に対する鍵データの作成命令を作成し、前記作成命令を前記認証装置に送信する指示作成手段と、
前記インターフェースが受け付けた前記鍵データを前記記憶手段に格納する書込手段と、
前記入力手段が受け付けた前記アクセス制限の解除要求に応じて、前記記憶手段に格納された前記鍵データを前記認証装置に送信する鍵送信手段と、
前記インターフェースが受け付けた認証の成功を表わすデータに基づいて、前記アクセス制限を解除するロック解除手段とを備える、情報処理装置。
【請求項７】
認証装置であって、
情報処理装置との間の情報の授受を行なうインターフェースと、
前記インターフェースが前記情報処理装置から受け付けた鍵データの作成命令に応じて、認証用データを暗号化したデータを前記鍵データとして作成し、前記鍵データを前記情報処理装置に送信する鍵作成手段と、
前記インターフェースが受け付けた前記鍵データを復号し、復号された前記鍵データを認証する認証手段と、
前記認証手段による認証結果を前記情報処理装置に送信する結果送信手段とを備える、認証装置。
【請求項８】
認証装置と情報の授受を行なうインターフェースと、外部からの指示を受け付ける入力手段と記憶手段とを有する情報処理ユニットと認証ユニットとを備える情報処理システムを用いた認証方法であって、
前記情報処理ユニットが、前記情報処理ユニット内の情報へのアクセス制限を行なうステップと、
前記情報処理ユニットが、前記認証装置に対する鍵データの作成命令を作成するステップと、
前記情報処理ユニットは、前記作成命令を前記認証ユニットに送信するステップと、
前記認証ユニットが、前記作成命令に応じて、認証用データを暗号化したデータを前記鍵データとして作成するステップと、
前記認証ユニットが、前記鍵データを前記情報処理ユニットに送信するステップと、
前記情報処理ユニットが、前記認証ユニットから受け付けた前記鍵データを前記記憶手段に格納するステップと、
前記情報処理ユニットが、前記入力手段が受け付けた前記アクセス制限の解除要求に応じて、前記記憶手段に格納された前記鍵データを前記認証ユニットに送信するステップと、
前記認証ユニットが、前記情報処理ユニットから受け付けた前記鍵データを復号するステップと、
前記認証ユニットが、復号された前記鍵データを認証するステップと、
前記情報処理ユニットが、前記認証ユニットから受け付けた認証の成功を表わすデータに基づいて、前記アクセス制限を解除するステップとを備える、認証方法。
【請求項９】
外部からの指示を受け付ける入力手段と記憶手段とを有する情報処理ユニットと認証ユニットとを備える情報処理システムに認証を実行させる認証プログラムであって、
前記情報処理ユニットが、前記情報処理ユニット内の情報へのアクセス制限を行なうステップと、
前記情報処理ユニットが、前記認証装置に対する鍵データの作成命令を作成するステップと、
前記情報処理ユニットは、前記作成命令を前記認証ユニットに送信するステップと、
前記認証ユニットが、前記作成命令に応じて、認証用データを暗号化したデータを前記鍵データとして作成するステップと、
前記認証ユニットが、前記鍵データを前記情報処理ユニットに送信するステップと、
前記情報処理ユニットが、前記認証ユニットから受け付けた前記鍵データを前記記憶手段に格納するステップと、
前記情報処理ユニットが、前記入力手段が受け付けた前記アクセス制限の解除要求に応じて、前記記憶手段に格納された前記鍵データを前記認証ユニットに送信するステップと、
前記認証ユニットが、前記情報処理ユニットから受け付けた前記鍵データを復号するステップと、
前記認証ユニットが、復号された前記鍵データを認証するステップと、
前記情報処理ユニットが、前記認証ユニットから受け付けた認証の成功を表わすデータに基づいて、前記アクセス制限を解除するステップとを、前記情報処理システムに実行させる、認証プログラム。
【発明の詳細な説明】
【技術分野】
【０００１】
本発明は、情報処理ユニットと認証ユニットとを含む情報処理システム、情報処理装置、認証装置、その情報処理システムを用いた認証方法および認証プログラムに関する。
【背景技術】
【０００２】
現在、ノートパソコンなどの携帯型の情報処理装置の多くは、ポインティングデバイスとしてタッチ式ポインティングデバイスを有している。タッチ式ポインティングデバイスの代表的なものの１つとしては、静電容量の変化を検出するタッチパッドがある。
【０００３】
近年、表示一体型のポインティングデバイスを備える情報処理装置が開発されている。例えば、特許文献１（特開２００４−５２１２号公報）には、表示一体型のポインティングデバイスを有する情報処理装置が開示されている。この情報処理装置は、表示一体型のポインティングデバイス専用のコントローラを備える。
【０００４】
特許文献２（特開２００４−５１０５号公報）に記載の情報処理装置は、表示一体型のポインティングデバイス専用のコントローラを用いて、メイン表示装置のコントローラの起動状態や処理状況と独立に、表示一体型のポインティングデバイス（サブ表示装置）を用いてユーザに対する表示を行なう。この装置のＢＩＯＳ（Ｂａｓｉｃ  Ｉｎｐｕｔ／Ｏｕｔｐｕｔ  Ｓｙｓｔｅｍ）は、ＯＳ（Ｏｐｅｒａｔｉｎｇ  Ｓｙｓｔｅｍ）の起動前の段階でＢＩＯＳにパスワードが設定されていた場合に、ポインティングデバイスおよびそのコントローラを制御し、設定されたパスワードの入力要求をポインティングデバイスに表示する。
【０００５】
また、特許文献２に記載されているようなパスワード認証ではなく、タブレットなどの手書き入力装置あるいは指紋入力装置に入力されたパターン（サイン、指紋など）を用いて、認証を行なう情報処理装置も知られている。このような情報処理装置は、入力パターンを予め登録された照合用パターンと照合して、認証を行なう。
【特許文献１】特開２００４−５２１２号公報
【特許文献２】特開２００４−５１０５号公報
【発明の開示】
【発明が解決しようとする課題】
【０００６】
入力パターンによる認証の際に、従来の情報処理装置は、予め情報処理装置内に格納している照合用データに基づいて、入力パターンの認証を行なっていた。このような認証方法には、セキュリティが確実でないという問題がある。正当なユーザ以外の者が、装置内のデータを解析することで照合用パターンを得られるためである。
【０００７】
本発明は、上記のような問題を解決するためになされたものであって、高いセキュリティを保って認証を行なうことができる情報処理システム、情報処理装置、認証装置、認証方法および認証プログラムを提供することを課題とする。
【課題を解決するための手段】
【０００８】
本発明の１つの局面に従うと、情報処理ユニットと認証ユニットとを備える情報処理システムであって、情報処理ユニットは、認証ユニットとの間の情報の授受を行なう第１のインターフェースと、外部からの指示を受け付ける入力手段と、記憶手段と、情報処理ユニット内の情報へのアクセス制限を設定するロック手段と、認証ユニットに対する鍵データの作成命令を作成し、作成命令を認証ユニットに送信する指示作成手段と、第１のインターフェースが受け付けた鍵データを記憶手段に格納する書込手段と、入力手段が受け付けたアクセス制限の解除要求に応じて、記憶手段に格納された鍵データを認証ユニットに送信する鍵送信手段と、第１のインターフェースが受け付けた認証の成功を表わすデータに基づいて、アクセス制限を解除するロック解除手段とを含み、認証ユニットは、情報処理ユニットとの間の情報の授受を行なう第２のインターフェースと、第２のインターフェースが受け付けた作成命令に応じて、認証用データを暗号化したデータを鍵データとして作成し、鍵データを情報処理ユニットに送信する鍵作成手段と、第２のインターフェースが受け付けた鍵データを復号し、復号された鍵データを認証する認証手段と、認証手段による認証結果を情報処理ユニットに送信する結果送信手段とを含む。
【０００９】
好ましくは、認証ユニットは、外部からの入力を受け付ける入力手段をさらに含み、鍵作成手段は、入力に基づいて認証用データを作成する。
【００１０】
さらに好ましくは、入力手段は、タブレットを含み、鍵作成手段は、作成命令に応じてタブレットに入力されたパターンに基づいて認証用データを作成し、認証手段は、認証要求に応じてタブレットに入力されたパターンに基づいて復号された鍵データを認証する。
【００１１】
さらに好ましくは、タブレットは、光センサ内蔵液晶パネルである。
好ましくは、認証ユニットは、認証ユニットを特定する識別データを格納する記憶手段をさらに含み、認証用データは、識別データを含み、認証手段は、記憶手段に格納された識別データに基づいて復号された鍵データを認証する。
【００１２】
本発明の他の局面に従うと、情報処理装置であって、認証装置との間の情報の授受を行なうインターフェースと、外部からの指示を受け付ける入力手段と、記憶手段と、情報処理装置内の情報へのアクセス制限を設定するロック手段と、認証装置に対する鍵データの作成命令を作成し、作成命令を認証装置に送信する指示作成手段と、インターフェースが受け付けた鍵データを記憶手段に格納する書込手段と、入力手段が受け付けたアクセス制限の解除要求に応じて、記憶手段に格納された鍵データを認証装置に送信する鍵送信手段と、インターフェースが受け付けた認証の成功を表わすデータに基づいて、アクセス制限を解除するロック解除手段とを備える。
【００１３】
本発明のさらに他の局面に従うと、認証装置であって、情報処理装置との間の情報の授受を行なうインターフェースと、インターフェースが情報処理装置から受け付けた鍵データの作成命令に応じて、認証用データを暗号化したデータを鍵データとして作成し、鍵データを情報処理装置に送信する鍵作成手段と、インターフェースが受け付けた鍵データを復号し、復号された鍵データを認証する認証手段と、認証手段による認証結果を情報処理装置に送信する結果送信手段とを備える。
【００１４】
本発明のさらに他の局面に従うと、認証装置と情報の授受を行なうインターフェースと、外部からの指示を受け付ける入力手段と記憶手段とを有する情報処理ユニットと認証ユニットとを備える情報処理システムを用いた認証方法であって、情報処理ユニットが、情報処理ユニット内の情報へのアクセス制限を行なうステップと、情報処理ユニットが、認証装置に対する鍵データの作成命令を作成するステップと、情報処理ユニットは、作成命令を認証ユニットに送信するステップと、認証ユニットが、作成命令に応じて、認証用データを暗号化したデータを鍵データとして作成するステップと、認証ユニットが、鍵データを情報処理ユニットに送信するステップと、情報処理ユニットが、認証ユニットから受け付けた鍵データを記憶手段に格納するステップと、情報処理ユニットが、入力手段が受け付けたアクセス制限の解除要求に応じて、記憶手段に格納された鍵データを認証ユニットに送信するステップと、認証ユニットが、情報処理ユニットから受け付けた鍵データを復号するステップと、認証ユニットが、復号された鍵データを認証するステップと、情報処理ユニットが、認証ユニットから受け付けた認証の成功を表わすデータに基づいて、アクセス制限を解除するステップとを備える。
【００１５】
本発明のさらに他の局面に従うと、外部からの指示を受け付ける入力手段と記憶手段とを有する情報処理ユニットと認証ユニットとを備える情報処理システムに認証を実行させる認証プログラムであって、情報処理ユニットが、情報処理ユニット内の情報へのアクセス制限を行なうステップと、情報処理ユニットが、認証装置に対する鍵データの作成命令を作成するステップと、情報処理ユニットは、作成命令を認証ユニットに送信するステップと、認証ユニットが、作成命令に応じて、認証用データを暗号化したデータを鍵データとして作成するステップと、認証ユニットが、鍵データを情報処理ユニットに送信するステップと、情報処理ユニットが、認証ユニットから受け付けた鍵データを記憶手段に格納するステップと、情報処理ユニットが、入力手段が受け付けたアクセス制限の解除要求に応じて、記憶手段に格納された鍵データを認証ユニットに送信するステップと、認証ユニットが、情報処理ユニットから受け付けた鍵データを復号するステップと、認証ユニットが、復号された鍵データを認証するステップと、情報処理ユニットが、認証ユニットから受け付けた認証の成功を表わすデータに基づいて、アクセス制限を解除するステップとを、情報処理システムに実行させる。
【発明の効果】
【００１６】
本発明によれば、情報処理ユニットは、情報処理ユニット内の情報へのアクセス制限を行なう。また、情報処理ユニットは、アクセス制限を解除する鍵データの作成指示を認証ユニットに送信する。認証ユニットは、暗号を施した鍵データを作成し、情報処理ユニットに送信する。情報処理ユニットは、認証ユニットからの鍵データを記憶装置に格納する。情報処理ユニットは、アクセス制限の解除要求を受け付けると、記憶装置に格納された鍵データを認証ユニットに送信する。認証ユニットは、情報処理ユニットからの鍵データを復号化して認証し、認証結果を情報処理ユニットに送る。情報処理ユニットは、認証が成功したとの認証結果を受け取ると、アクセス制限を解除する。その結果、本発明によれば、セキュリティを保って認証を行なうことができる。
【発明を実施するための最良の形態】
【００１７】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００１８】
［第１の実施の形態］
＜電子機器の外観＞
図１は、本実施の形態に係る電子機器１００の外観を示した図である。図１を参照して、電子機器１００は、第１の筐体１００Ａと第２の筐体１００Ｂとを含む。
【００１９】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２０】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００２１】
＜ハードウェア構成について＞
次に、図２を参照して、電子機器１００の具体的構成の一態様について説明する。図２は、電子機器１００のハードウェア構成を表わすブロック図である。
【００２２】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００２３】
第１の筐体１００Ａは、表示装置１０２を含む。第２の筐体１００Ｂは、本体装置１０１を含む。また、第２の筐体１００Ｂは、第２ユニット１００２を含む。
【００２４】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００２５】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００２６】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００２７】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００２８】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００２９】
電源検出部１９３は、電源回路１９２からの出力を検出する。また、電源検出部１９３は、当該検出した出力に関する情報（たとえば、電圧値や電流値）を、ＣＰＵ１１０に送る。
【００３０】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３１】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００３２】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００３３】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００３４】
ドライバ１３０は、液晶パネル１４０およびバックライト１７９を駆動するための駆動回路である。ドライバ１３０に含まれる各種の駆動回路については、後述する。
【００３５】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００３６】
内部ＩＦ（Interface）１７８は、本体装置１０１と表示装置１０２との間で、データの遣り取りを仲介する。
【００３７】
バックライト１７９は、液晶パネル１４０の裏面に配置された光源である。バックライト１７９は、当該裏面に対して均一な光を照射する。
【００３８】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００３９】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４０】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４１】
上記コマンドは、上記光センサによりセンシングを指示するセンシングコマンドを含む。当該センシングコマンドの詳細および上記応答データの詳細については、後述する（図７，図８，および図１４）。
【００４２】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００４３】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００４４】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００４５】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００４６】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００４７】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００４８】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００４９】
信号強度検出部２９７は、アンテナ２９５を介して受信した信号についての強度を検出する。そして、信号強度検出部２９７は、検出した強度を外部通信部２７４に送る。
【００５０】
ＵＳＢコネクタ２９４は、第２ユニット１００２を第１ユニット１００１に接続するために用いられる。
【００５１】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００５２】
アンテナ２９５は、第２ユニット１００２と、たとえば第１ユニット１００１との間における、Ｂｌｕｅｔｏｏｔｈ（登録商標）の規格に沿った通信に用いられる。
【００５３】
電源検出部２９３は、ＵＳＢコネクタ２９４を介して給電された電力を検出する。また、電源検出部２９３は、当該検出した電力についての情報を、ＣＰＵ２１０に送る。
【００５４】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００５５】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００５６】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００５７】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００５８】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００５９】
ここでいうプログラムとは、ＣＰＵにより直接実行可能なプログラムだけでなく、ソースプログラム形式のプログラム、圧縮処理されたプログラム、暗号化されたプログラム等を含む。
【００６０】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６１】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００６２】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００６３】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００６４】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００６５】
なお、ここでは、いわゆる線順次方式と呼ばれる駆動方式を用いて説明したが、駆動方式はこれに限定されるものではない。
【００６６】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００６７】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００６８】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００６９】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７０】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７１】
光センサ駆動回路１３３は、図２に示すドライバ制御部１８１から制御信号ＴＣ２を受ける。
【００７２】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００７３】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００７４】
なお、電圧ＶＤＤＲを印加するタイミング、および電圧ＶＤＤを印加するタイミングについては、後述する。
【００７５】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００７６】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００７７】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００７８】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００７９】
アンプ１３５は、各センサ信号線（ＳＳ１〜ＳＳｎ）から出力された電圧を増幅する。なお、増幅された電圧は、図２に示した信号処理部１８３に送られる。
【００８０】
なお、画素回路１４１を用いて画像を液晶パネル１４０に表示させるタイミングと、光センサ回路１４４を用いてセンシングするタイミングとについては、画像処理エンジン１８０が制御する。
【００８１】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００８２】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００８３】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００８４】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００８５】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００８６】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００８７】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００８８】
なお、フォトダイオード１４５の位置は、上記の位置に限定されるものではなく、カラーフィルタ１５３ｒに対向する位置やカラーフィルタ１５３ｇに対向する位置に設けることも可能である。
【００８９】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９０】
以下では、光センサ回路１４４をリセットするためのリセット期間と、光センサ回路１４４を用いて光をセンシングするためのセンシング期間と、センシングした結果を読み出す読出期間とに分けて説明する。
【００９１】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００９２】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００９３】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００９４】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００９５】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００９６】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００９７】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００９８】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００９９】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１００】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０１】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１０２】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１０３】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１０４】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１０５】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１０６】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１０７】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１０８】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１０９】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１０】
図６は、液晶パネル１４０とバックライト１７９との断面図であって、スキャンの際にフォトダイオード１４５がバックライト１７９からの光を受光する構成を示した図である。
【０１１１】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１１２】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１１３】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１１４】
以上により、表示装置１０２は、指９００によって光が反射されることにより得られる像（以下、反射像とも称する）をスキャンすることができる。
【０１１５】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１１６】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１１７】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１１８】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１１９】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２０】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２１】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１２２】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１２３】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１２４】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１２５】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１２６】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１２７】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１２８】
なお、画像処理エンジン２８０は、第１コマンドの内容を解析し、当該解析の結果に従ったデータ（つまり、応答データ）を本体装置１０１に送り返す。
【０１２９】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３０】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３１】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１３２】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１３３】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１３４】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１３５】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１３６】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１３７】
第１フィールドＤＡ０２に「０１」または「１０」が設定された第３コマンドは、第２ユニット１００２から第１ユニット１００１に送信される。
【０１３８】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１３９】
第２フィールドＤＡ０３に「０００」、「００１」、または「０１０」が設定された第３コマンドは、第２ユニット１００２から第１ユニット１００１に送信される。
【０１４０】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４１】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１４２】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１４３】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１４４】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１４５】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１４６】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１４７】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１４８】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１４９】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５０】
第２フィールドＤＡ０３に「０００」が設定された第６コマンドは、通信の接続先を指定する情報を有していないことを示す。
【０１５１】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１５２】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１５３】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１５４】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１５５】
第３フィールドＤＡ０４に「０００」が設定された第６コマンドは、データ（たとえば、ファイル）の転送先を指定する情報を有していないことを示す。
【０１５６】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１５７】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１５８】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１５９】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６０】
第４フィールドＤＡ０５に「００」、「０１」、「１０」、または「１１」が設定された第６コマンドは、第１ユニット１００１によって、第２ユニット１００２に送信される。
【０１６１】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１６２】
図１４は、応答データの概略構成を示した図である。応答データは、第１コマンド（センシングコマンド）の内容に応じたデータである。
【０１６３】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１６４】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１６５】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１６６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１６７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１６８】
ただし、必ずしも中心座標の位置は上記に限定されるものではなく、中心座標を上記図心の座標あるいは図心の近傍の座標としてもよい。
【０１６９】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７０】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１７２】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１７３】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１７４】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１７５】
＜構成の第１の変形例について＞
ところで、液晶パネル１４０の構成は、図３に示した構成に限定されるものではない。以下では、図３とは異なる態様の液晶パネルについて説明する。
【０１７６】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１７７】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１７８】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１７９】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８０】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１８１】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１８２】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１８３】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１８４】
以上述べたように、電子機器１００が液晶パネル１４０Ａを備えた構成とすることにより、スキャン対象物をカラーでスキャンできることになる。
【０１８５】
次に、図１７を参照して、前述のスキャンの方法（つまり、図６における反射像をスキャンする方法）とは異なるスキャンの方法について説明する。
【０１８６】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１８７】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１８８】
以上により、表示装置１０２は、指９００によって外光が遮られることにより得られる像（以下、影像とも称する）をスキャンすることができる。
【０１８９】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９０】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１９１】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１９２】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１９３】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１９４】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０１９５】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０１９６】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０１９７】
また、第１ユニット１００１は、光センサを内蔵した液晶パネル１４０の代わりに、たとえば抵抗膜方式や静電容量方式のタッチパネルを備えてもよい。
【０１９８】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０１９９】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２００】
本実施の形態に係る電子機器１００は、上記のように構成されているため、第２ユニット１００２が、ＵＳＢコネクタ１９４，２９４を介して第１ユニット１００１に着脱自在になっている。
【０２０１】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２０２】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２０３】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２０４】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２０５】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２０６】
＜機能的構成＞
図１９は、本実施の形態に係る電子機器１００の機能的構成をブロック図形式で示す図である。電子機器１００は、すでに説明したとおり、第１ユニット１００１と、第２ユニット１００２とを含む。以下、図１９を参照して、電子機器１００の機能的構成について説明する。
【０２０７】
第１ユニット１００１は、表示部３１０と、入力部３２０と、記憶部３３０と、インターフェース部３４０と、制御部３５０とを含む。第１ユニット１００１は、電子機器１００１の主要な動作を行なう。
【０２０８】
表示部３１０は、第１ユニット１００１内部の情報を外部に表示する。入力部３２０は、外部からの指示を受け付ける。本実施の形態では、液晶パネル１４０が、表示部３１０および入力部３２０の機能を兼ね備える。ただし、表示部３１０としては、他の表示装置、例えば、ＬＣＤ（Ｌｉｑｕｉｄ  Ｃｒｙｓｔａｌ  Ｄｉｓｐｌａｙ）などのディスプレイを用いてもよい。また、操作キー１７７も入力部３２０の機能を果たす。
【０２０９】
記憶部３３０は、ロック情報３３２などの情報を格納する。ロック情報３３２は、第１ユニット１００１内の情報へのアクセスを制限するための情報である。ロック情報３３２は、アクセス制限の解除にあたり用いられる鍵データ３３３を含む。ロック情報３３２の詳細については、後述する。
【０２１０】
インターフェース部３４０は、第２ユニット１００２側のインターフェース部４４０との間で情報の授受を行なう。本実施の形態では、第１ユニット１００１と第２ユニット１００２が直接接続されている場合、ＵＳＢコネクタ１９４がインターフェース部３４０として機能する。第１ユニット１００１と第２ユニット１００２が直接接続されていない場合、アンテナ１９５がインターフェース部３４０として機能する。ただし、インターフェース部３４０による情報の授受方法は、これに限られるわけではない。
【０２１１】
制御部３５０は、入力部３２０からの指示等に基づいて、表示部３１０、記憶部３３０、および、インターフェース部３４０の動作を制御する。制御部３５０は、表示制御部３５１と、ロック部３５２と、指示作成部３５３と、書込部３５４と、要求作成部３５５と、ロック解除部３５６とを含む。
【０２１２】
表示制御部３５１は、記憶部３３０に格納される表示データに基づいて、表示部３１０の動作を制御する。
【０２１３】
ロック部３５２は、入力部３２０からの指示に基づいて、第１ユニット１００１の情報へのアクセス制限（以下、ロックとよぶ）を設定するロック処理を行なう。例えば、ロック部３５２は、アプリケーションファイルの起動制限、アプリケーションのユーザの制限、電子機器１００へのログインの制限、などを行なう。
【０２１４】
指示作成部３５３は、ロック部３５２がロック処理を開始すると、ロック解除のための鍵データ３３３の作成命令（鍵作成命令とよぶ）を作成する。そして、指示作成部３５３は、インターフェース部３４０に、鍵作成命令を第２ユニット１００２へ宛てて送信させる。
【０２１５】
書込部３５４は、インターフェース部３４０が第２ユニット１００２から受け取った鍵データに含まれる鍵データ３３３を、ロック情報３３２内に書き込む。
【０２１６】
要求作成部３５５は、入力部３２０が受けつけたアクセス制限の解除要求の指示に基づいて、認証要求命令を作成する。認証要求命令は、鍵データ３３３を含む。要求作成部３５５は、インターフェース部３４０に、認証要求命令を第２ユニット１００２へ宛てて送信させる。
【０２１７】
ロック解除部３５６は、インターフェース部３４０が第２ユニット１００２から認証が成功した旨の認証結果を受け付けると、ロックを解除する。具体的には、ロック解除部３５６は、認証結果に対応するロック情報３３２を変更する。
【０２１８】
第２ユニット１００２は、表示部４１０と、入力部４２０と、記憶部４３０と、インターフェース部４４０と、制御部４５０とを含む。第２ユニット１００２は、認証処理において中心的な動作を行なう。
【０２１９】
表示部４１０は、第２ユニット１００２内部の情報を外部に表示する。入力部４２０は、外部からの指示を受け付ける。本実施の形態では、光センサ内蔵液晶パネル２４０が、表示部４１０および入力部４２０の機能を兼ね備える。ただし、表示部４１０としては、他の表示装置、例えば、ＬＣＤ（Ｌｉｑｕｉｄ  Ｃｒｙｓｔａｌ  Ｄｉｓｐｌａｙ）などのディスプレイを用いてもよい。また、入力部３２０としては、光センサ内蔵液晶パネル２４０に限られず、図形パターンを認識する機能を有するデバイス（タブレット）を用いることができる。例えば、入力部４２０として、静電容量型のタッチパネルを用いてもよい。
【０２２０】
記憶部４３０は、入力部４２０への入力パターン４３１および、第２ユニットのユニットＩＤ４３２などの情報を格納する。
【０２２１】
インターフェース部４４０は、第１ユニット１００１側のインターフェース部３４０との間で情報の授受を行なう。本実施の形態では、第１ユニット１００１と第２ユニット１００２が直接接続されている場合、ＵＳＢコネクタ２９４がインターフェース部４４０として機能する。第１ユニット１００１と第２ユニット１００２が直接接続されていない場合、アンテナ２９５がインターフェース部４４０として機能する。ただし、インターフェース部４４０による情報の授受方法は、これに限られるわけではない。
【０２２２】
制御部４５０は、入力部４２０が受け付けた指示等に基づいて、表示部４１０、記憶部４３０、および、インターフェース部４４０の動作を制御する。制御部４５０は、表示制御部４５１と、鍵作成部４５２と、認証部４５３とを含む。
【０２２３】
表示制御部４５１は、表示データに基づいて、表示部４１０の動作を制御する。表示制御部４５１は、例えば、表示部４１０に、入力部４２０へのパターンの入力をユーザに促す画面などを表示する。
【０２２４】
鍵作成部４５２は、インターフェース部４４０が第１ユニット１００１から鍵作成命令を受け取ると、鍵作成処理を開始する。鍵作成部４５２は、まず、表示制御部４５１を制御し、表示部４１０に、入力部４２０へのパターンの入力をユーザに促す画面などを表示する。また、鍵作成部４５２は、入力部４２０への入力パターン４３１および／またはユニットＩＤ４３２に基づいて、鍵データを作成する。鍵データの基となる入力パターン４３１および／またはユニットＩＤ４３２を認証用データと呼ぶ。
【０２２５】
さらに、鍵作成部４５２は、インターフェース部４４０を制御し、作成した鍵データを第１ユニット１００１に宛てて送る。
【０２２６】
認証部４５３は、インターフェース部４４０が受けつけた認証要求命令に基づいて、認証処理を開始する。すなわち、認証部４５３は、まず、表示制御部４５１を制御し、表示部４１０に、入力部４２０へのパターンの入力をユーザに促す画面などを表示する。また、認証部４５３は、認証要求命令に含まれる鍵データを認証する。具体的には、例えば、認証部４５３は、認証要求に応じて入力された入力パターン４３１と、鍵データに含まれる入力パターン４３１とを照合する。
【０２２７】
＜ロック処理＞
電子機器１００を用いた認証動作には、大きく分けて、ロック処理と、ロック解除処理とが必要となる。ここでは、ロック処理について、図２０を参照して説明する。図２０は、ロック処理の流れを模式的に示す図である。
【０２２８】
（１）  ロック指示
ロック処理にあたっての一連の処理は、第１ユニット１００１が、ロック指示を外部から受け付けたことに応じて開始する。ロック指示は、ロック処理を行なう範囲（ロック範囲）を含む。ここでは、入力部３２０が、１つのアプリケーションファイル（アプリケーションファイル１）をロックする指示を受け付けたものとして説明を行なう。
【０２２９】
（２）  鍵作成指示
入力部３２０がロック指示を受け付けると、ロック部３５２は、ロック指示の内容をロック情報３３２の一部として記憶部３３０に格納する。また、ロック部３５２は、指示作成部３５３に、ロック処理の開始を伝える。
【０２３０】
ロック処理の開始の旨を受け取った指示作成部３５３は、インターフェース部３４０を制御し、第２ユニット１００２に宛てて、鍵データの作成指示を送る。インターフェース部３４０は、第１ユニット１００１および第２ユニット１００２との接続状態に応じて、ＵＳＢコネクタ２９４およびアンテナ２９５のいずれかにより鍵データの作成指示を送る。なお、以下の第１ユニット１００１および第２ユニット１００２の間のデータのやり取りも、接続状態に応じてＵＳＢコネクタまたはアンテナにより行なわれる。
【０２３１】
鍵データの作成指示のデータ構造を図２１に示す。図２１を参照して、鍵データの作成指示は、ヘッダと、命令本体と、予備データとを含む。命令本体は、鍵作成命令と、命令ＩＤと、ロック範囲とを含む。
【０２３２】
鍵作成命令は、このデータが、第２ユニット１００２に鍵作成を指示するものであることを表わす。鍵作成命令は、第１ユニット１００１および第２ユニット１００２に共通する規格に沿って記述される。
【０２３３】
命令ＩＤは、鍵データの作成指示を特定するデータである。第１ユニット１００１は、たとえば、複数のアプリケーションに対するロック指示を受け付けた場合など、複数の鍵作成命令指示を作成することがある。命令ＩＤは、このような場合に、各鍵作成命令指示を区別するために用いられる。指示作成部３５３は、作成した鍵作成命令の命令ＩＤを、ロック範囲と対応付けて、ロック情報３３２の一部として、記憶部３３０に格納する。
【０２３４】
ロック範囲は、第１ユニット１００１が鍵データの作成指示を作成するきっかけになったロック指示によるロック範囲を表わす。
【０２３５】
（３）  サイン入力
第２ユニット１００２は、鍵作成指示を受け取ると、液晶パネル２４０へのサインの入力をユーザに促す画面を液晶パネル２４０に表示する。具体的には、鍵作成部４５２は、インターフェース部４４０が鍵作成指示を受け取ると、表示制御部４５１を制御し、液晶パネル２４０に、サインの入力を促す画面を表示する。ここで、サインは、鍵データの基となる認証用データの一例である。認証用データは、サインに限られるわけではない。例えば、第２ユニット１００２が指紋検出装置を備える場合、指紋データを認証用データとして用いてもよい。
【０２３６】
鍵作成部４５２は、鍵作成指示に含まれるロック範囲に基づいて、「“アプリケーションファイル１”のロックに用いるサインを入力してください」などの画面を液晶パネル２４０に表示させてもよい。鍵作成部４５２がこのような処理を行なわない場合（例えば、ロック範囲にかかわらず同じ画面を表示する場合）、鍵作成命令は、ロック範囲を含まなくてもよい。
【０２３７】
なお、第２ユニット１００２は、その液晶パネル２４０にこのような画面を表示する必要は必ずしもない。例えば、第１ユニット１００１および第２ユニット１００２が直接接続されている場合には、第１ユニット１００１が、その液晶パネル１４０に、第２ユニット１００２への認証用データの入力を促す画面を表示してもよい。
【０２３８】
また、鍵作成部４５２は、鍵作成指示を受け取ると、鍵作成モードに切り替わる。鍵作成モードでは、鍵作成部４５２は、鍵作成モード中に液晶パネル２４０に入力された入力パターン４３１を取得する。
【０２３９】
（４）  鍵作成
鍵作成部４５２は、鍵作成モード中に入力された入力パターン４３１に基づいて鍵データ３３３を含む送信データを作成する。鍵データを含む送信データのデータ構造を図２２に示す。図２２を参照して、送信データは、ヘッダと、鍵データ本体と、予備データとを含む。鍵データ本体は、サインデータと命令ＩＤとを含む。サインデータは、入力パターン４３１を暗号化したものである。サインデータは、鍵データ３３３の一例である。命令ＩＤは、鍵作成部４５２が受け取った鍵作成指示に含まれる命令ＩＤと同一のデータである。
【０２４０】
また、鍵作成部４５２は、送信データを作成すると、入力パターン４３１を記憶部４３０から削除する。サインデータが記憶部４３０に格納されている場合は、データ作成部は、鍵データを作成すると、サインデータを記憶部４３０から削除する。この処理により、第２ユニット１００２からサインデータが盗まれるおそれがなくなる。
【０２４１】
（５）  鍵送信
鍵作成部４５２は、鍵データ３３３を含む送信データを、鍵作成指示を送信した第１ユニット１００１に宛てて送る。鍵データ３３３は、暗号化されている。したがって、第１ユニット１００１および第２ユニット１００２の間の通信が、無線など傍受可能な方式で行なわれても、外部に入力パターンそのものが漏れることはない。
【０２４２】
サインなどの入力パターンは、電子機器１００内のロック処理のみならず、他の装置での認証処理にも用いられる可能性がある。本実施の形態に係る電子機器１００は、このような入力パターンの流出を防ぐことができる。よって、ユーザは、キー入力などのわずらわしい操作を必要としない入力パターンを用いた認証を、安全に行なうことができる。
【０２４３】
（６）  ロック処理
第１ユニット１００１は、第２ユニット１００２から鍵データを受け付けるとロック処理を行なう。書込部３５４は、ロック指示に含まれる命令ＩＤと鍵データに含まれる命令ＩＤとに基づいて、ロック指示と鍵データとを対応付ける。書込部３５４は、ロック指示に含まれるロック範囲と鍵データに含まれるサインデータとを、ロック情報３３２として、記憶部３３０に格納する。
【０２４４】
ロック情報３３２のデータ構造を図２３に示す。図２３を参照して、ロック情報３３２は、ロックＩＤ３３２ａと、ロック範囲３３２ｂと、サインデータ３３２ｃとを含む。
【０２４５】
ロックＩＤ３３２ａは、各ロック処理を特定するデータである。ロック部３５２は、例えば、ロック処理を実行した順番に基づいて、各ロック処理にロックＩＤ３３２ａを与える。あるいは、ロック部３５２は、鍵データに含まれる命令ＩＤをロックＩＤ３３２ａとして、記憶部３３０に格納する。
【０２４６】
ロック情報３３２に含まれるサインデータ３３２ｃは、暗号化されている。したがって、記憶部３３０に格納されているデータが読み出されたとしても、サインデータそのものが流出することはない。
【０２４７】
ロック部３５２は、書き込み部３３２が記憶部３３０に書き込んだロック情報３３２を読み出し、ロック情報３３２で指定されるロック範囲３３２ｂに対しロック処理を行なう。
【０２４８】
＜ロック解除処理＞
ここからは、ロック解除処理について、図２４を参照して説明する。図２４は、ロック解除処理の流れを模式的に示す図である。
【０２４９】
（７）  ロック解除指示
ロック処理にあたっての一連の処理は、第１ユニット１００１の入力部３２０が、ロック解除指示を外部から受け付けたことに応じて開始する。ロック解除指示には、たとえば、ロックされたファイルの実行指示、ロックされたアプリケーションの起動指示、ロックされたデータエリアへのアクセス指示などが含まれる。ここでは、入力部３２０が、アプリケーションファイル１のロックの解除指示を受け付けたものとして説明を行なう。
【０２５０】
（８）  認証要求
要求作成部３５５は、入力部３２０がロック解除指示を受け付けると、インターフェース部３４０を制御し、第２ユニット１００２に宛てて、認証要求を送信する。認証要求は、記憶部３３０に格納されているサインデータを含む。
【０２５１】
認証要求のデータ構造を図２５に示す。図２５を参照して、認証要求は、ヘッダと、命令本体と、予備情報とを含む。命令本体は、認証命令と、サインデータと、ロックＩＤと、ロック範囲とを含む。
【０２５２】
認証命令は、このデータが、第２ユニット１００２にデータの認証を指示するものであることを表わす。認証命令は、第１ユニット１００１および第２ユニット１００２に共通する規格に沿って記述される。認証命令は、ロックの解除にあたり第２ユニット１００２に入力すべき鍵の種類を指定する情報を含んでもよい。
【０２５３】
ロックＩＤは、認証要求のきっかけとなった解除指示で指定されているロックのロックＩＤ３３２ａである。第１ユニット１００１が、複数の鍵作成命令指示を出した場合には、第１ユニット１００１は、複数種類の解除指示および複数種類の認証要求を出すことがある。ロックＩＤは、このような場合に、各認証要求を区別するために用いられる。
【０２５４】
ロック範囲は、ロック情報３３２上で、ロックＩＤ３３２ａに対応するロック範囲３３２ｂである。
【０２５５】
（９）  復号処理
認証部４５３は、インターフェース部４４０が、第１ユニット１００１から認証要求を受け取ると、認証要求に含まれるサインデータを復号する。ここでの復号方式は、鍵作成にあたって用いられた暗号化方式に対応するものである。
【０２５６】
（１０）  サイン入力
認証部４５３は、インターフェース部４４０が、第１ユニット１００１から認証要求を受け取ると、表示制御部４５１を制御し、液晶パネル２４０に、サインの入力を促す画面を表示する。
【０２５７】
この表示に関しては、（３）サイン入力と同様の変形例をとりうる。例えば、認証部４５３は、認証要求に含まれるロック範囲に基づいて、「“アプリケーションファイル１”のロック解除用のサインを入力してください」などの画面を液晶パネル２４０に表示させてもよい。また、第２ユニット１００２が、その液晶パネル２４０にこのような画面を表示する必要は必ずしもない。
【０２５８】
認証部４５３は、認証要求を受け取ると、認証モードに切り替わる。認証モードでは、認証部４５３は、認証モード中に液晶パネル２４０に入力された入力パターン４３１を取得する。
【０２５９】
なお、第２ユニット１００２が、（９）（１０）の処理を行なう順序は、前後してもよい。また、第２ユニット１００２は、（９）（１０）の処理を並行して行なってもよい。
【０２６０】
（１１）  認証
認証部４５３は、認証モード中に入力された入力パターン４３１に基づいて、復号化されたサインデータを認証する。具体的には、認証部４５３は、例えば、入力パターン４３１と復号化されたサインデータとのパターンマッチングを行ない、一致率が所定の閾値以上である場合に、認証成功であると判断する。逆に、認証部４５３は、一致率が、閾値未満である場合に、認証失敗であると判断する。
【０２６１】
第２ユニット１００２は、第１ユニット１００１から送られてきた鍵データを復号して得られるサインデータと、認証処理の際に入力された入力パターンとによって、ユーザの認証を行なう。したがって、第２ユニット１００２の装置構成を簡易にできる。
【０２６２】
まず、第２ユニット１００２は、サインデータ（認証用データ）を格納しておく必要がないため、記憶装置の容量を少なくできる。特に、第１ユニット１００１が様々なロック範囲（ファイル、アプリケーションなど）にロックをする場合であっても、各ロック範囲に応じた認証用データを格納しておく必要がない。
【０２６３】
さらに、複数のロック範囲が指定されている場合であっても、第２ユニット１００２は、ロック範囲と認証用データとを対応付けておく必要がない。第１ユニット１００１が、ロック範囲と鍵データとを対応付けて管理しているためである。
【０２６４】
（１２）  認証結果送信
認証部４５３は、インターフェース部４４０を制御し、第１ユニット１００１に宛てて、認証結果を送る。認証結果のデータ構造を図２６に示す。認証結果は、ヘッダと、認証結果本体と、予備データとを含む。認証結果本体は、結果フラグと、ロックＩＤとを含む。
【０２６５】
結果フラグは、認証部４５３による認証結果を表わす。例えば、認証部４５３は、認証成功である場合に、結果フラグを“１”に、認証失敗である場合に、結果フラグを“０”に設定する。判断結果とフラグとの対応付けは、上の説明と逆であってもよい。ただし、結果フラグの扱いは、第１ユニット１００１および第２ユニット１００２で一致しているものとする。
【０２６６】
なお、認証部４５３は、認証の成功、失敗を表わすデータを含む認証結果を送るのではなく、認証成功のときのみ認証結果を第１ユニット１００１に送ってもよい。
【０２６７】
ロックＩＤは、認証結果に対応する認証要求に含まれるロックＩＤと同じものである。認証部４５３は、インターフェース部４４０が受け取った認証要求からロックＩＤを読出し、読み出したロックＩＤを、認証結果に書き込む。
【０２６８】
（１３）  ロック解除／非解除
ロック解除部３５６は、インターフェース部３４０が認証結果を第２ユニット１００２から受け取ると、受け取った認証結果が認証の成功を表わすかどうかを判断する。なお、第２ユニット１００２が、認証成功のときのみ認証結果を送る場合は、ロック解除部３５６は、インターフェース部３４０が受け取った認証結果を、常に、認証の成功を表わす認証結果とみなす。
【０２６９】
受け取った認証結果が認証の成功を表わす場合、ロック解除部３５６は、認証結果に含まれるロックＩＤと一致するロックＩＤ３３２ａに対応するロック範囲３３２ｂのロックを解除する。ロック範囲が１種類である場合には、ロック解除部３５６は、ロックＩＤを利用せずに、成功を表わす認証結果を受け取ったことに応じて、ロックを解除してもよい。
【０２７０】
受け取った認証結果が認証の成功を表わすものでない場合、ロック解除部３５６は、ロックを解除しない。この場合、ロック解除部３５６は、表示制御部３５１を制御して、表示部３１０に、認証失敗を表わす画面を表示してもよい。
【０２７１】
＜処理の流れ＞
第１の実施の形態に係る電子機器１００が行なう処理の流れを図２７を参照してまとめて説明しておく。図２７は、第１の実施の形態に係る電子機器１００が行なう処理の流れを表わすシーケンス図である。
【０２７２】
ステップＳ１０１において、第１ユニット１００１の指示作成部３５３は、入力部３２０が受け付けたロック指示に応じて、鍵作成指示を作成する。また、指示作成部３５３は、インターフェース部３４０を制御し、第２ユニット１００２に宛てて、鍵作成指示を送信する。
【０２７３】
ステップＳ２０１において、第２ユニット１００２のインターフェース部４４０は、ステップＳ１０１で第１ユニット１００１が送信した鍵作成指示を受け取る。
【０２７４】
ステップＳ２０３において、鍵作成部４５２は、表示制御部４５１を制御し、液晶パネル２４０にサイン入力を要求する画面を表示する。
【０２７５】
ステップＳ２０５において、鍵作成部４５２は、液晶パネル２４０に入力された入力パターン４３１に基づいて、鍵データを作成する。具体的には、鍵作成部４５２は、入力パターン４３１を暗号化したサインデータ（ロック解除用データ）を含む鍵データを作成する。
【０２７６】
ステップＳ２０７において、鍵作成部４５２は、インターフェース部４４０を制御し、第１ユニット１００１に、鍵データを送る。ステップＳ２０９において、第１ユニット１００１側のインターフェース部３４０は、第２ユニット１００２からの鍵データを受け取る。
【０２７７】
ステップＳ１０５において、書込部３５４は、第２ユニット１００２からの鍵データに含まれるロック解除用データと、ロック指示に応じたロック範囲とを対応付けて、ロック情報３３２として、記憶部３３０に格納する。ロック部３５２は、ロック解除用データと対応付けられたロック範囲に対してロック処理を行なう。
【０２７８】
ステップＳ１０７において、要求作成部３５５は、入力部３２０が受け付けたロック解除指示に応じて、インターフェース部３４０を制御し、認証要求を第２ユニット１００２に送信する。認証要求は、記憶部３３０に格納されているロック解除用データを含む。ステップＳ２０９において、第２ユニット１００２側のインターフェース部４４０は、第１ユニット１００１からの認証要求を受け取る。
【０２７９】
ステップＳ２１１において、認証部４５３は、認証要求に含まれるロック解除用データを復号する。
【０２８０】
ステップＳ２１３において、認証部４５３は、表示制御部４５１を制御し、液晶パネル２４０に液晶パネル２４０への入力をユーザに促す画面を表示する。
【０２８１】
ステップＳ２１５において、認証部４５３は、認証要求に応じて液晶パネル２４０に入力された入力パターン４３１に基づいて、復号したロック解除用データを認証する。
【０２８２】
ステップＳ２１７において、認証部４５３は、インターフェース部４４０を制御し、認証結果を、第１ユニット１００１に宛てて送る。ステップＳ１０９において、第１ユニット１００１側のインターフェース部３４０は、第２ユニット１００２からの認証結果を受けとる。
【０２８３】
ステップＳ１１１において、ロック解除部３５６は、認証結果が認証の成功を表わすかどうかを判断する。認証結果が認証成功を表わす場合（ステップＳ１１１においてＹＥＳ）、ロック解除部３５６は、ステップＳ１１３において、ロック解除指示に対応するロックを解除する。認証結果が認証成功を表わさない場合（ステップＳ１１１においてＮＯ）、ロック解除部３５６は、ステップＳ１１５において、認証失敗を表わすエラー表示を、液晶パネル１４０に表示する。
【０２８４】
本実施の形態に係る電子機器１００は、鍵作成時および認証処理時を除いて、暗号化されていない認証用データを電子機器１００が内蔵する記憶装置に格納しない。したがって、本実施の形態に係る電子機器１００によれば、記憶装置から認証用データを盗まれることを防ぐことができる。
【０２８５】
特に、タブレットに入力されたサインや、指紋データを認証用データとして用いる場合、認証用データが盗まれると、電子機器１００内のロックのみならず、他の装置のセキュリティが破られるおそれがある。本実施の形態に係る電子機器１００によれば、このような危険を防ぐことができる。
【０２８６】
また、電子機器１００は、第１ユニット１００１と第２ユニット１００２との間で、認証用データをやりとりしない。そのため、第１ユニット１００１と第２ユニット１００２との間の通信が傍受されたとしても、認証用データそのものが流出することはない。したがって、電子機器１００は、第１ユニット１００１と第２ユニット１００２との間で無線通信などを用いつつ、安全に認証を行なうことができる。
【０２８７】
これは、認証処理にあたり、第１ユニット１００１と第２ユニット１００２との位置関係の制約が少なくなることを意味する。本実施の形態に係る電子機器１００によれば、例えば、認証用の第２ユニット１００２を手にもって、認証処理を行なうといったことが可能になる。
【０２８８】
さらに、本実施の形態に係る認証方法では、システム全体の処理能力を有効に活用することができる。第１ユニット１００１が行なう処理（鍵作成指示の作成および送信、認証要求の作成および送信、第２ユニット１００２からの認証結果に基づくロック解除など）は、負荷が少ない。入力パターンの認識、パターンマッチングなどの負荷が重い処理は、第２ユニット１００２が行なう。したがって、認証処理の途中であっても、第１ユニット１００１のＣＰＵは、認証処理以外の処理、例えば、第１ユニット１００１（電子機器１００の本体）の制御を行なうことができる。
【０２８９】
［第２の実施の形態］
第２の実施の形態に係る電子機器１００では、図２８に示すように、第２ユニット１００２を他の第２ユニット１００２＃に入替えることができる。図２８は、第２の実施の形態に係る電子機器１００の使用形態を模式的に示した図である。
【０２９０】
第１ユニット１００１および第２ユニット１００２の構成は、第１の実施の形態と同様であるので繰り返さない。また、第２ユニット１００２＃の構成は、第２ユニット１００２の構成と同様であるので、繰り返さない。
【０２９１】
電子機器１００が行なう処理の流れも、第１の実施の形態とほぼ同様である。ただし、第２の実施の形態に係る電子機器１００は、認証にあたって、認証処理を行なう第２ユニット（第２ユニット１００２および第２ユニット１００２＃）を区別する。つまり、電子機器１００は、あるロックの解除のための認証処理を行なう第２ユニットが、そのロックの鍵データを作成した第２ユニットでない場合、認証が失敗であると判断し、ロックを解除しない。
【０２９２】
電子機器１００は、第２ユニットに格納されているユニットＩＤを利用して、第２ユニットを区別する。以下、第２ユニット１００２が鍵データを作成するとして、本実施の形態に係る電子機器１００の動作について説明する。
【０２９３】
（１）ロック指示、（２）鍵作成指示、（３）サイン入力に関する電子機器１００の動作、（７）ロック解除指示、（１０）サイン入力、（１２）認証結果送信、（１３）ロック解除／非解除は、第１の実施の形態と同様であるので、説明を繰り返さない。
【０２９４】
（４）鍵作成において、鍵作成部４５２は、鍵作成モード中に入力された入力パターン４３１および記憶部４３０に格納されているユニットＩＤ４３２に基づいて、鍵データを作成する。第２の実施の形態に係る鍵データのデータ構造を図２９に示す。図２９を参照して、鍵データは、ヘッダと、鍵データ本体と、予備データとを含む。鍵データ本体は、サインデータと命令ＩＤとユニットＩＤとを含む。鍵データ中のユニットＩＤは、ユニットＩＤ４３２を暗号化したものである。ユニットＩＤ以外のデータは、第１の実施の形態と同様であるので、説明を繰り返さない。
【０２９５】
（５）鍵送信に関する電子機器１００の動作は、第１の実施の形態と同様であるので、説明を繰り返さない。鍵データは、暗号化されていない認証用データ（入力パターンおよびユニットＩＤ）を含まない。したがって、第１ユニット１００１および第２ユニット１００２の間の通信が、無線など傍受可能な方式で行なわれても、外部に認証用データそのものが漏れることはない。
【０２９６】
（６）ロック処理において、書込部３５４は、ロック指示に含まれる命令ＩＤと鍵データに含まれる命令ＩＤとに基づいて、ロック指示と鍵データとを対応付ける。書込部３５４は、ロック指示に含まれるロック範囲３３２ｂと鍵データに含まれるサインデータおよびユニットＩＤとを、ロック情報３３２として、記憶部３３０に格納する。
【０２９７】
第２の実施の形態に係るロック情報３３２のデータ構造を図３０に示す。図３０を参照して、ロック情報３３２は、ロックＩＤ３３２ａと、ロック範囲３３２ｂと、サインデータ３３２ｃと、ユニットＩＤ３３２ｄを含む。サインデータ３３２ｃおよびユニットＩＤ３３２ｄが、鍵データ３３３に相当する。
【０２９８】
ロック情報３３２に含まれるサインデータ３３２ｃおよびユニットＩＤ３３２ｄは、暗号化されている。したがって、記憶部３３０に格納されているデータが読み出されたとしても、サインデータそのものが流出することはない。
【０２９９】
（８）認証要求において、要求作成部３５５は、第１の実施の形態と同様に認証要求を送信する。ただし、第１の実施の形態とは、認証要求のデータ構造が異なる。第２の実施の形態に係る認証要求のデータ構造を図３１に示す。図３１を参照して、認証要求は、ヘッダと、命令本体と、予備情報とを含む。命令本体は、認証命令と、サインデータと、ロックＩＤと、ロック範囲と、サインデータと、ユニットＩＤとを含む。認証要求は、ユニットＩＤを含む点が、第１の実施の形態のものと異なる。ユニットＩＤは、ロック情報３３２においてロックＩＤと対応付けられているユニットＩＤである。
【０３００】
（９）復号処理において、まず、認証部４５３は、認証要求に含まれるユニットＩＤを復号する。続いて、認証部４５３は、復号したユニットＩＤと記憶部４３０に格納されたユニットＩＤ４３２とを比較する。
【０３０１】
復号したユニットＩＤと記憶部４３０に格納されたユニットＩＤ４３２とが一致する場合、認証部４５３は、サインデータを復号する。そして、認証部４５３は、第１の実施の形態と同様、（１０）サイン入力、（１１）認証、（１２）認証結果送信を行なう。
【０３０２】
一方、復号したユニットＩＤと記憶部４３０に格納されたユニットＩＤ４３２とが一致しない場合、認証は失敗とみなし、サインデータの復号処理および認証処理は行なわない。このような処理により、第２ユニット１００２の処理負荷を減らすことができる。また、このようにすれば、不適切なユニットは、サインデータを復号しない。したがって、システムによる認証処理の安全性が保たれる。
【０３０３】
＜処理の流れ＞
第２の実施の形態に係る電子機器１００が行なう処理の流れを図３２を参照してまとめて説明しておく。図３２は、第２の実施の形態に係る電子機器１００が行なう処理の流れを表わすシーケンス図である。
【０３０４】
ステップＳ３０１において、第１ユニット１００１の指示作成部３５３は、入力部３２０が受け付けたロック指示に応じて、鍵作成指示を作成する。また、指示作成部３５３は、インターフェース部３４０を制御し、第２ユニット１００２に宛てて、鍵作成指示を送信する。
【０３０５】
ステップＳ４０１において、第２ユニット１００２のインターフェース部４４０は、ステップＳ３０１で第１ユニット１００１が送信した鍵作成指示を受け取る。
【０３０６】
ステップＳ４０３において、鍵作成部４５２は、表示制御部４５１を制御し、液晶パネル２４０にサイン入力を要求する画面を表示する。
【０３０７】
ステップＳ４０５において、鍵作成部４５２は、液晶パネル２４０に入力された入力パターン４３１およぶ記憶部４３０に格納されているユニットＩＤ４３２に基づいて、鍵データを作成する。具体的には、鍵作成部４５２は、入力パターン４３１およびユニットＩＤ４３２を暗号化したデータ（ロック解除用データ）を含む鍵データを作成する。
【０３０８】
ステップＳ４０７において、鍵作成部４５２は、インターフェース部４４０を制御し、第１ユニット１００１に、鍵データを送る。ステップＳ４０９において、第１ユニット１００１側のインターフェース部３４０は、第２ユニット１００２からの鍵データを受け取る。
【０３０９】
ステップＳ３０５において、書込部３５４は、第２ユニット１００２からの鍵データに含まれるロック解除用データと、ロック指示に応じたロック範囲とを対応付けて、ロック情報３３２として、記憶部３３０に格納する。ロック部３５２は、ロック解除用データと対応付けられたロック範囲に対してロック処理を行なう。
【０３１０】
ステップＳ３０７において、要求作成部３５５は、入力部３２０が受け付けたロック解除指示に応じて、インターフェース部３４０を制御し、認証要求を第２ユニット１００２に送信する。認証要求は、記憶部３３０に格納されているロック解除用データを含む。ステップＳ４０９において、第２ユニット１００２側のインターフェース部４４０は、第１ユニット１００１からの認証要求を受け取る。
【０３１１】
ステップＳ４１１において、認証部４５３は、認証要求に含まれる暗号化されたユニットＩＤを復号する。また、認証部４５３は、復号したユニットＩＤと、記憶部４３０に格納したユニットＩＤ４３２とを照合する。
【０３１２】
ステップＳ４１３において、認証部４５３は、ステップＳ４１１における照合結果に基づいて、ユニットの認証が成功したかどうか判断する。
【０３１３】
ユニットの認証が失敗した場合（ステップＳ４１３においてＮＯ）、第２ユニット１００２は、処理をステップＳ４１９に進める。
【０３１４】
ユニットの認証が成功した場合（ステップＳ４１３においてＹＥＳ）、ステップＳ４１５において、認証部４５３は、表示制御部４５１を制御し、液晶パネル２４０に液晶パネル２４０への入力をユーザに促す画面を表示する。
【０３１５】
ステップＳ４１７において、認証部４５３は、認証要求に含まれる暗号化された入力パターンを復号する。また、認証部４５３は、認証要求に応じて液晶パネル２４０に入力された入力パターン４３１に基づいて、復号した入力パターンを認証する。
【０３１６】
ステップＳ４１９において、認証部４５３は、インターフェース部４４０を制御し、認証結果を、第１ユニット１００１に宛てて送る。ユニットの認証が失敗した場合（ステップＳ４１３においてＮＯ）、認証部４５３は、認証が失敗した旨の認証結果を送る。ユニットの認証が成功したものの（ステップＳ４１３においてＹＥＳ）、ステップＳ４１７のサイン認証処理が失敗した場合も、認証部４５３は、認証が失敗した旨の認証結果を送る。ユニットの認証が成功し（ステップＳ４１３においてＹＥＳ）、かつ、ステップＳ４１７のサイン認証処理が成功した場合に、認証部４５３は、認証が成功した旨の認証結果を送る。
【０３１７】
ステップＳ３０９において、第１ユニット１００１側のインターフェース部３４０は、第２ユニット１００２からの認証結果を受けとる。
【０３１８】
ステップＳ３１１において、ロック解除部３５６は、認証結果が認証の成功を表わすかどうかを判断する。認証結果が認証成功を表わす場合（ステップＳ３１１においてＹＥＳ）、ロック解除部３５６は、ステップＳ３１３において、ロック解除指示に対応するロックを解除する。認証結果が認証成功を表わさない場合（ステップＳ３１１においてＮＯ）、ロック解除部３５６は、ステップＳ３１５において、認証失敗を表わすエラー表示を、液晶パネル１４０に表示する。
【０３１９】
第２の実施の形態に係る電子機器１００によれば、鍵データを作成した第２ユニットで認証処理を行なったときに限り、第１ユニット１００１内のデータのロックを解除できる。つまり、第２の実施の形態に係る電子機器１００によれば、ユニットによる認証を行なうことができる。
【０３２０】
［その他］
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３２１】
【図１】本実施の形態に係る電子機器の外観を示す概略図である。
【図２】電子機器のハードウェア構成を表わすブロック図である。
【図３】表示パネルの構成と当該表示パネルの周辺回路とを示した図である。
【図４】表示パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】光センサ内蔵液晶パネル１４０Ａの回路図である。
【図１７】スキャンの際にフォトダイオードが外光を受光する構成を示した断面図である。
【図１８】電子機器の変形例のハードウェア構成を表すブロック図である。
【図１９】電子機器１００の機能的構成をブロック図形式で示す図である。
【図２０】ロック処理の流れを模式的に示す図である。
【図２１】鍵データの作成指示のデータ構造を示す図である。
【図２２】鍵データを含む送信データのデータ構造を示す図である。
【図２３】ロック情報３３２のデータ構造を示す図である。
【図２４】ロック解除処理の流れを模式的に示す図である。
【図２５】認証要求のデータ構造を示す図である。
【図２６】認証結果のデータ構造を示す図である。
【図２７】第１の実施の形態に係る電子機器１００が行なう処理の流れを表わすシーケンス図である。
【図２８】第２の実施の形態に係る電子機器１００の使用形態を模式的に示した図である。
【図２９】第２の実施の形態に係る鍵データのデータ構造を示す図である。
【図３０】第２の実施の形態に係るロック情報３３２のデータ構造を示す図である。
【図３１】第２の実施の形態に係る認証要求のデータ構造を示す図である。
【図３２】第２の実施の形態に係る電子機器１００が行なう処理の流れを表わすシーケンス図である。
【符号の説明】
【０３２２】
１００  電子機器、１００Ａ  筐体、１００Ｂ  筐体、１００Ｃ  ヒンジ、１０１  本体装置、１０２  表示装置、１０２Ａ  表示装置、１０３  表示装置、１０４  本体装置、１３０  ドライバ、１３１  走査信号線駆動回路、１３２  データ信号線駆動回路、１３３  光センサ駆動回路、１３４  スイッチ、１３５  アンプ、１４０  光センサ内蔵液晶パネル、１４０Ａ  光センサ内蔵液晶パネル、１４１  画素回路、１４１ｂ  サブピクセル回路、１４１ｇ  サブピクセル回路、１４１ｒ  サブピクセル回路、１４１ｒ  画素回路、１４３  電極対、１４３ａ  画素電極、１４３ｂ  対向電極、１４４  光センサ回路、１４５  フォトダイオード、１４５ｂ  フォトダイオード、１４５ｇ  フォトダイオード、１４５ｒ  フォトダイオード、１４６  コンデンサ、１５１Ａ  アクティブマトリクス基板、１５１Ｂ  対向基板、１５２  液晶層、１５３ｂ  カラーフィルタ、１５３ｇ  カラーフィルタ、１５３ｒ  カラーフィルタ、１５７  データ信号線、１６１  偏光フィルタ、１６２  ガラス基板、１６３  遮光膜、１６４  配向膜、１７３  メモリカードリーダライタ、１７４  外部通信部、１７５  マイク、１７６  スピーカ、１７７  操作キー、１７９  バックライト、１８０  画像処理エンジン、１８１  ドライバ制御部、１８２  タイマ、１８３  信号処理部、１９１  電源スイッチ、１９２  電源回路、１９３  電源検出部、１９４  コネクタ、１９５  アンテナ、１９６  コネクタ、２３０  ドライバ、２４０  光センサ内蔵液晶パネル、２４０  液晶パネル、２７４  外部通信部、２７９  バックライト、２８０  画像処理エンジン、２８１  ドライバ制御部、２８２  タイマ、２８３  信号処理部、２９３  電源検出部、２９４  コネクタ、２９５  アンテナ、２９７  信号強度検出部、３１０  表示部、３２０  入力部、３３０  記憶部、３３２  ロック情報、３３３  鍵データ、３４０  インターフェース部、３５０  制御部、３５１  表示制御部、３５２  ロック部、３５３  指示作成部、３５４  書込部、３５５  要求作成部、３５６  ロック解除部、４１０  表示部、４２０  入力部、４３０  記憶部、４３１  入力パターン、４４０  インターフェース部、４５０  制御部、４５１  表示制御部、４５２  鍵作成部、４５３  認証部、９００  指、１００１  第１ユニット、１００２  第２ユニット。
【図１】
2010108098.tif 000003
【図２】
2010108098.tif 000004
【図３】
2010108098.tif 000005
【図４】
2010108098.tif 000006
【図５】
2010108098.tif 000007
【図６】
2010108098.tif 000008
【図７】
2010108098.tif 000009
【図８】
2010108098.tif 000010
【図９】
2010108098.tif 000011
【図１０】
2010108098.tif 000012
【図１１】
2010108098.tif 000013
【図１２】
2010108098.tif 000014
【図１３】
2010108098.tif 000015
【図１４】
2010108098.tif 000016
【図１５】
2010108098.tif 000017
【図１６】
2010108098.tif 000018
【図１７】
2010108098.tif 000019
【図１８】
2010108098.tif 000020
【図１９】
2010108098.tif 000021
【図２０】
2010108098.tif 000022
【図２１】
2010108098.tif 000023
【図２２】
2010108098.tif 000024
【図２３】
2010108098.tif 000025
【図２４】
2010108098.tif 000026
【図２５】
2010108098.tif 000027
【図２６】
2010108098.tif 000028
【図２７】
2010108098.tif 000029
【図２８】
2010108098.tif 000030
【図２９】
2010108098.tif 000031
【図３０】
2010108098.tif 000032
【図３１】
2010108098.tif 000033
【図３２】
2010108098.tif 000034